【手続補正書】
【提出日】平成16年12月28日(2004.12.28)
【手続補正１】
【補正対象書類名】明細書
【補正対象項目名】特許請求の範囲
【補正方法】変更
【補正の内容】
【特許請求の範囲】
【請求項１】
エレベータ昇降路内を第１のガイドレールに沿って上昇したり下降する乗りかごと、第２のガイドレールに沿って前記エレベータ昇降路内を下降したり上昇するカウンターウェイトと、前記乗りかごとカウンターウェイトを懸架するロープと、このロープを巻上げ駆動して前記乗りかごをエレベータ昇降路内で上下に移動させるエレベータ昇降路内の駆動装置と、前記乗りかごを持ち上げて非常停止状態を解除する非常停止機構とを具備したエレベータの非常停止状態解除方法において、
取り外し可能な巻上げ装置を前記エレベータ昇降路内に設置する設置工程と、
前記乗りかごもしくは前記カウンターウェイトのいずれか一方に位置する前記ガイドレールの部分に取り外し可能に取付けて前記巻上げ装置により前記乗りかごを持ち上げ、非常停止状態を解除する解除工程とを備えたエレベータの非常停止状態解除方法。
【請求項２】
設置工程が巻き上げ装置を乗りかごの上方に位置するガイドレールの部分に取り外し可能に取付けて、巻上げ装置により乗りかごを持ち上げることからなる請求項１記載のエレベータの非常停止装置解除方法。
【請求項３】
設置工程がブラケットをレールクリップによりガイドレールの所定位置に固定し、巻上げ装置をブラケットに取付ける請求項２記載のエレベータの非常停止装置解除方法。
【請求項４】
設置工程が巻き上げ装置をカウンターウェイトに取り外し可能に取付けることからなり、
解除工程が巻き上げ装置によりカウンターウェイトを下方に駆動することからなる請求項１に記載のエレベータの非常停止装置解除方法。
【請求項５】
設置工程がブラケットをカウンターウェイトの下方に位置するガイドレールの部分に取り外し可能に取付けて、巻上げ装置をカウンターウェイトとブラケットとの間に設置することからなり、
解除工程が巻き上げ装置によりカウンターウェイトに対して下方に駆動することからなる請求項４記載のエレベータの非常停止装置解除方法。
【請求項６】
巻上げ装置としてチェーンブロックを用いる請求項１記載のエレベータの非常停止装置解除方法。
【手続補正２】
【補正対象書類名】明細書
【補正対象項目名】０００９
【補正方法】変更
【補正の内容】
【０００９】
【課題を解決するための手段】
この発明は、前記目的を達成するために、請求項１は、エレベータ昇降路内を第１のガイドレールに沿って上昇したり下降する乗りかごと、第２のガイドレールに沿って前記エレベータ昇降路内を下降したり上昇するカウンターウェイトと、前記乗りかごとカウンターウェイトを懸架するロープと、このロープを巻上げ駆動して前記乗りかごをエレベータ昇降路内で上下に移動させるエレベータ昇降路内の駆動装置と、前記乗りかごを持ち上げて非常停止状態を解除する非常停止機構とを具備したエレベータの非常停止状態解除方法において、取り外し可能な巻上げ装置を前記エレベータ昇降路内に設置する設置工程と、前記乗りかごもしくは前記カウンターウェイトのいずれか一方に位置する前記ガイドレールの部分に取り外し可能に取付けて前記巻上げ装置により前記乗りかごを持ち上げ、非常停止状態を解除する解除工程とを備えたエレベータの非常停止状態解除方法にある。
【手続補正３】
【補正対象書類名】明細書
【補正対象項目名】００１０
【補正方法】変更
【補正の内容】
【００１０】
前記構成によれば、作業者が乗りかごの上に乗り、巻上げ装置によって乗りかごを上昇させて非常停止装置を解除でき、乗りかごを乗降口のある階に移動できる。
【手続補正４】
【補正対象書類名】明細書
【補正対象項目名】００１１
【補正方法】変更
【補正の内容】
【００１１】
請求項２は、請求項１の設置工程が巻き上げ装置を乗りかごの上方に位置するガイドレールの部分に取り外し可能に取付けて、巻上げ装置により乗りかごを持ち上げるエレベータの非常停止装置解除方法にある。
請求項３は、請求項２の設置工程がブラケットをレールクリップによりガイドレールの所定位置に固定し、巻上げ装置をブラケットに取付けるエレベータの非常停止装置解除方法にある。
請求項４は、請求項１の設置工程が巻き上げ装置をカウンターウェイトに取り外し可能に取付けることからなり、解除工程が巻き上げ装置によりカウンターウェイトを下方に駆動することからなるエレベータの非常停止装置解除方法にある。
請求項５は、請求項４の設置工程がブラケットをカウンターウェイトの下方に位置するガイドレールの部分に取り外し可能に取付けて、巻上げ装置をカウンターウェイトとブラケットとの間に設置することからなり、解除工程が巻き上げ装置によりカウンターウェイトに対して下方に駆動することからなるエレベータの非常停止装置解除方法にある。
請求項６は、請求項１の巻上げ装置としてチェーンブロックを用いるエレベータの非常停止装置解除方法にある。
【手続補正５】
【補正対象書類名】明細書
【補正対象項目名】００１２
【補正方法】変更
【補正の内容】
【００１２】
前記構成によれば、乗りかごを安定した状態で上昇させることができ、また、ブラケットをガイドレールの任意の位置に固定できる。乗りかごが最上階に付近にある場合、作業者が昇降路ピットに入り、巻上げ装置によってカウンターウェイトを下降させることにより乗りかごを上昇させて非常停止装置を解除でき、乗りかごを乗降口のある階に移動できる。さらに、巻上げ装置にチェーンブロックを使用することにより、小さい力量で乗りかごを上昇できる。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１９
【補正方法】変更
【補正の内容】
【００１９】
まず、図３に基づいてエレベータ全体の構成を説明すると、建物のエレベータ昇降路１の内部には乗りかご２とカウンターウェイト３が一組のロープ４によって懸架されている。昇降路１の左右両サイドには乗りかご２を昇降案内する第１のガイドレールとしてのガイドレール５，６が設けられている。左側のガイドレール６の後方にはカウンターウェイト３を昇降案内する第２のガイドレールとしてのカウンターウェイト用ガイドレール７，８が設けられている。
【手続補正１２】
【補正対象書類名】明細書
【補正対象項目名】００４５
【補正方法】変更
【補正の内容】
【００４５】
請求項２〜６の構成によれば、乗りかごを安定した状態で上昇させることができ、また、ブラケットをガイドレールの任意の位置に固定できる。乗りかごが最上階に付近にある場合、作業者が昇降路ピットに入り、巻上げ装置によってカウンターウェイトを下降させることにより乗りかごを上昇させて非常停止装置を解除でき、乗りかごを乗降口のある階に移動できる。さらに、巻上げ装置にチェーンブロックを使用することにより、小さい力量で乗りかごを上昇できる。
【手続補正１３】
【補正対象書類名】明細書
【補正対象項目名】００４６
【補正方法】削除
【補正の内容】
【手続補正１４】
【補正対象書類名】明細書
【補正対象項目名】００４７
【補正方法】削除
【補正の内容】